(57)【特許請求の範囲】
【請求項１】
コンクリート等からなる立坑に開けられた横穴の壁面と接触可能な２つの接触板を備えた枠と、該枠の上下方向に移動可能な移動板と、該移動板から前記横穴の進行方向に延びる配管置台とを有し、前記配管置台にはナットが溶接されており、該ナットが移動板に溶接されているボルトに螺合することによって、配管置台が前後方向に移動して下水道管の端部の位置決めがなされ、前記２つの接触板の間隔を設置される下水道管の外径とほぼ同一の長さにすることによって、下水道管の横ぶれを防ぎ、前記移動板を上下方向に移動させることによって設置される下水道管の上下方向の位置決めがなされることを特徴とする配管位置決め装置。
【請求項２】
移動板の上下方向の移動は、枠に設けられた２本のボルトと、移動板に設けられた２本のナットとによってなされることを特徴とする請求項１に記載の配管位置決め装置。
【発明の詳細な説明】
【技術分野】
【０００１】
本発明は、マンホール等の立坑に下水道管等の配管を固定する際に使用する配管位置決め装置に関する。
【背景技術】
【０００２】
従来より、マンホールに下水道管を固定する場合には、図９に示すように、マンホール５０に下水道管４０の直径よりも大きな横穴４１を開け、この横穴４１と下水道管４０との隙間４２に楔４３を打ち込んで仮固定し、レーザー水準器等を使用して位置決めした後、隙間４２を埋めて固定していた。この場合、位置決めした後の土砂の埋め戻し作業で、楔４３が外れてしまい、下水道管４０が下方に落ちてしまうことがあった。
【０００３】
また、下水道管の敷設工事に使用される配管位置決め装置として、水平器を装着したアーチ状本体の上梁部に、上下移動用ハンドルにより上下移動する昇降軸を螺嵌すると共に、横移動用ハンドルにより横移動する支持部を装設し、両柱部の下部に上下伸縮用ハンドルにより上下伸縮する伸縮脚を嵌設し、かつ、昇降軸の下端に、管用ベルトを巻き上げてパイプを締め付けるベルト調節器を装設した管固定体を回動自在に連設し、管固定体の対向側面の下縁を弧状にしたものが、知られている（特許文献１）。
【０００４】
【特許文献１】特開平９−４１４７１号公報
【発明の開示】
【発明が解決しようとする課題】
【０００５】
前述したとおり、楔を使用したものでは、土砂の埋め戻し作業時に楔が外れないようにする必要がある。万一、楔が外れた場合には、位置決め及び埋め戻し作業を最初からやり直す必要があるため、施工コストが高くなっていた。また、上記特許文献１に記載の配管位置決め装置は、横穴に設置されて、敷設される下水道管の位置決めを行うために使用されるものであり、マンホール等の立坑に入れるには大き過ぎ、仮に入れることができたとしても、下水道管の一端の外周を保持するためにはマンホールの内側に下水道管の一端を２０センチ程度突出させなければならず、下水道管を固定した後に、この突出した部分を切断する作業が必要となるため作業性が悪くなり、コスト高となるため、マンホール内で下水道管を位置決めする場合には適していなかった。
【０００６】
本発明は上記点に鑑み、製作が容易で、コスト安となると共に、作業性に優れたマンホール等の立坑に下水道管等の配管を固定する際に使用する配管位置決め装置を提供することを目的とする。
【課題を解決するための手段】
【０００７】
請求項１の発明は、配管位置決め装置の発明であって、コンクリート等からなる立坑に開けられた横穴の壁面と接触可能な２つの接触板を備えた枠と、該枠の上下方向に移動可能な移動板と、該移動板から前記横穴の進行方向に延びる配管置台とを有し、前記配管置台にはナットが溶接されており、該ナットが移動板に溶接されているボルトに螺合することによって、配管置台が前後方向に移動して下水道管の端部の位置決めがなされ、前記２つの接触板の間隔を設置される下水道管の外径とほぼ同一の長さにすることによって、下水道管の横ぶれを防ぎ、前記移動板を上下方向に移動させることによって設置される下水道管の上下方向の位置決めがなされることに特徴を有する。
【０００８】
請求項２の発明は、請求項１の発明において、移動板の上下方向の移動は、枠に設けられた２本のボルトと、移動板に設けられた２本のナットとによってなされることに特徴を有する。
【発明の効果】
【０００９】
請求項１の発明では、配管位置決め装置の発明であって、コンクリート等からなる立坑に開けられた横穴の壁面と接触可能な２つの接触板を備えた枠と、該枠の上下方向に移動可能な移動板と、該移動板から前記横穴の進行方向に延びる配管置台とを有し、前記配管置台にはナットが溶接されており、該ナットが移動板に溶接されているボルトに螺合することによって、配管置台が前後方向に移動して下水道管の端部の位置決めがなされ、前記２つの接触板の間隔を設置される下水道管の外径とほぼ同一の長さにすることによって、下水道管の横ぶれを防ぎ、前記移動板を上下方向に移動させることによって設置される下水道管の上下方向の位置決めがなされることに特徴を有するので、部品点数の少ないコンパクトな構成であるにも関わらず、立坑に開けられた横穴に下水道管等を配設する際に確実に位置決めすることができる。
【００１０】
請求項２の発明では、請求項１の発明において、移動板の上下方向の移動は、枠に設けられた２本のボルトと、移動板に設けられた２本のナットとによってなされることに特徴を有するので、ボルトとナットという安価な部品によって、位置決め時における上下方向の微調整を簡易に行うことができる。
【発明を実施するための最良の形態】
【００１１】
次に、本発明の実施形態を図面に基づいて説明する。図１は、本発明の配管位置決め装置を正面方向から見た場合の斜視図であり、図２は、背面方向から見た場合の斜視図である。図３は、本発明の配管位置決め装置の左側面図である。これらの図を用いて本発明の配管位置決め装置３０を説明する。配管位置決め装置３０は、枠１に、２つの接触板２，２を備えている。この２つの接触板２，２の間隔は、設置される下水道管の外径とほぼ同一の長さとなっており、設置される下水道管の横ぶれを防いでいる。そして、枠１には、この枠１の上下方向に移動可能な移動板３と、この移動板３から横穴の進行方向、即ち移動板３の板面から垂直方向に調節可能な配管置台４とを有している。
【００１２】
移動板３には、枠１に設けられた２本のボルト５ａ，５ｂが、移動板３に設けられた２本のナット６ａ，６ｂに各々螺合しているので、２本のボルト５ａ，５ｂの頭を右回転又は左回転させることによって、移動板３の上下方向の移動（調節）がなされるのである。尚、２本のボルト５ａ，５ｂの端部に当接するように、下部が、板７ｂ，７ｂによって塞がれた円筒管７ａ，７ａが枠に溶接されており、この円筒管７ａ，７ａは、ナット６ａ，６ｂよりも大きな穴となっており、後述する抜け止め片７０ａによってボルト５ａ，５ｂの抜け止めをしている。したがって、２本のボルト５ａ，５ｂ自体は、右回転又は左回転させても上下方向に移動することはなく、移動板３がボルト５ａ，５ｂに沿って上下方向に移動するのである。
【００１３】
配管置台４の円弧状の本体４ａにはナット８が溶接されており、このナット８の端部にはボルト９が挿入可能な穴が開けられた配管端部位置決め板１０が溶接されている。この配管端部位置決め板１０に、設置される下水道管等の配管の端部を当接させることによって、配管の端部の位置決めがなされるのである。そして、配管置台４のナット８が、移動板３に溶接されているボルト９に螺合している。したがって、配管置台４を右回転又は左回転させることによって、ボルト９に沿って配管置台４の前後方向の移動（調節）がなされるのである。尚、配管置台４は、立坑に配設される下水道管等の配管の大きさに合わせて交換することができ、本体４ａの円弧の形状は配管の直径に合わせて変更される。
【００１４】
図４は、枠１を背面方向から見た斜視図である。枠１は、長方形状の平板１ａと側板１ｂとが組み合わされてなるものであり、側板１ｂの上部にはボルト５ａ，５ｂが挿通可能な穴１２，１２が開けられている。また、平板１ａには、立坑に開けられた横穴の壁面と接触可能な接触板２，２が溶接されている。この接触板２，２の近傍の平板１ａと側板１ｂの角部に，下部が板７ｂ，７ｂによって塞がれた円筒管７ａ，７ａが溶接されている。
【００１５】
図５は、移動板３の平面図である。移動板３は、平板３ａの両端部に枠１に設けられた２本のボルト５ａ，５ｂと螺合する２本のナット６ａ，６ｂが溶接されており、平板３ａの中央部分には、ボルト９が溶接されている。
【００１６】
図６は、配管置台４の正面図である。配管置台４は、円弧状の本体４ａの中間部にはナット８が溶接されており、このナット８の端部にはボルト９が挿入可能な穴が開けられた配管端部位置決め板１０が溶接されている。そして、配管置台４のナット８が、移動板３に溶接されているボルト９に螺合するのである。
【００１７】
図７は、ボルト５ａ，５ｂの平面図と、円筒管７ａの斜視図である。ボルト５ａ，５ｂは、上述したように、移動板３の２本のナット６ａ，６ｂに各々螺合するものであり、移動板３の上下方向の高さの調節を行い、マンホール等の立坑の横穴に設置される下水道管等の配管の上下方向の位置を決めるものであるため、長尺なボルトを使用する。また、円筒管７ａは、抜け止め溝７０ａがボルト５ａ，５ｂの溝５０ａ，５０ｂに対応する位置に設けられており、この抜け止め溝７０ａに金属クリップ等を差し込むことによって、ボルト５ａ，５ｂの抜け止めをしている。
【００１８】
次に図８を使用して、本発明の配管位置決め装置３０によって、マンホール等の立坑５０の横穴に下水道管４０等の配管を設置する手順を説明する。
第１に、立坑５０の下方に設けられた横穴に本発明の配管位置決め装置３０を設置し、２本の木棒３２の一端を枠１に当て、木棒３２の他端を立坑５０の壁に当てて突っ張らせることで配管位置決め装置３０を固定し、配管端部位置決め板１０を前後方向に移動させることで、設置される下水道管の端部の位置決めが行われる。
第２に、レーザー水準器３３を立坑５０の底板３４にセットする。
第３に、下水道管４０と立坑５０の横穴との隙間に耐震用接続部材３１を設置する。
第４に、下水道管４０を横穴に挿入し、下水道管４０の内壁を配管位置決め装置３０の配管置台４に当接させる。この時、接触板２，２の間隔は、設置される下水道管４０の外径とほぼ同じ長さにしているので、設置される下水道管４０の横ぶれが防止される。
第５に、配管位置決め装置３０の２本のボルト５ａ、５ｂを回して下水道管４０を上下方向に移動させ、レーザー水準器３３に合わせて、位置決めを行う。
第６に下水道管４０の反対側の端部に次の下水道管４０をつなぎ、レーザー水準器３３で位置決めされた高さで土を埋め戻して下水道管４０が固定される。
第７に２本の木棒３２を外して配管位置決め装置３０を取り除く。
【００１９】
尚、本発明の趣旨を逸脱しない範囲において、種々の実施形態をとることができることは言うまでもない。
【産業上の利用可能性】
【００２０】
本発明の配管位置決め装置は、マンホール等の立坑の横穴に下水道管等の配管を設置する際の位置決めに使用することができる。
【図面の簡単な説明】
【００２１】
【図１】本発明の配管位置決め装置を正面方向から見た場合の斜視図。
【図２】本発明の配管位置決め装置を背面方向から見た場合の斜視図。
【図３】本発明の配管位置決め装置の左側面図。
【図４】枠を背面方向から見た斜視図。
【図５】移動板の平面図。
【図６】配管置台の正面図。
【図７】ボルトの平面図と円筒管の斜視図。
【図８】本発明の配管位置決め装置の使用例を示す図。
【図９】従来の楔による位置決め方法を示す図
【符号の説明】
【００２２】
１  枠
２  接触板
３  移動板
４  配管置台
５ａ，５ｂ，９  ボルト
６ａ，６ｂ，８  ナット
７ａ  円筒管
７ｂ  板
１０  配管端部位置決め板
１２  穴
３０  配管位置決め装置
４０  下水道管
４１  横穴
４２  隙間
４３  楔
５０  立坑
【図１】
0004848069.tif 000002
【図２】
0004848069.tif 000003
【図３】
0004848069.tif 000004
【図４】
0004848069.tif 000005
【図５】
0004848069.tif 000006
【図６】
0004848069.tif 000007
【図７】
0004848069.tif 000008
【図８】
0004848069.tif 000009
【図９】
0004848069.tif 000010